(57)【要約】【課題】放送信号を送信する装置及び方法、放送信号を再生する装置及び方法、及び放送信号データ構造を開示する。【解決手段】一形態によれば、放送信号を送信する方法は、少なくとも一つの画像に対する画像修正制御情報を生成すること、画像と画像修正制御情報とを放送データとして送信すること、を含む。【選択図】図１
2007295573.tif 000002
【特許請求の範囲】
【請求項１】
放送信号を送信する方法であって、
少なくとも一つの画像に対する画像修正制御情報を生成すること、
前記画像と前記画像修正制御情報とを放送データとして送信すること、
を含んで構成されることを特徴とする方法。
【請求項２】
前記画像修正制御情報は、前記画像に対する場面変更制御情報及び画像間の間隔を変更する間隔変更情報の少なくとも一方を含むことを特徴とする請求項１に記載の方法。
【請求項３】
前記生成すること及び送信することの各ステップは、放送側で実行されることを特徴とする請求項１に記載の方法。
【請求項４】
前記場面変更制御情報は、前記画像の形態、カラー、輝度、不透明度、モーション及び次元のうち、少なくとも一つの変更に関連することを特徴とする請求項２に記載の方法。
【請求項５】
前記画像の前記モーション変更は、前記画像に対する観察者の位置及び前記画像の位置のうち、少なくとも一つの変更に関連することを特徴とする請求項４に記載の方法。
【請求項６】
前記画像修正制御情報は、ＭＯＴ（multimedia object transfer）プロトコルのリザーブ領域に含まれて送信されることを特徴とする請求項１に記載の方法。
【請求項７】
前記画像修正制御情報は、可変長の少なくても一つのフィールド値を有することを特徴とする請求項６に記載の方法。
【請求項８】
画像と、該画像に対する画像修正制御情報と、を含む放送データを受信するように構成された放送受信機で放送信号を再生する方法であって、
前記画像と、前記画像修正制御情報と、を含む前記放送データを受信すること、
前記受信した放送データをデコードすること、
前記デコードした放送データから、前記画像と、該画像に対する前記画像修正制御情報と、を取得すること、
前記取得した画像と、該画像に対する前記取得した画像修正制御情報と、を保存すること、
前記取得した画像修正制御情報に基づいて前記保存した画像の表示を修正すること、
を含んで構成されることを特徴とする方法。
【請求項９】
前記画像修正制御情報は、前記画像に対する場面変更制御情報及び画像間の間隔を変更する間隔変更情報の少なくとも一方を含むことを特徴とする請求項８に記載の方法。
【請求項１０】
前記取得した場面変更制御情報は、前記保存した画像の形態、カラー、輝度、不透明度、モーション及び次元のうち、少なくとも一つの変更に関連することを特徴とする請求項９に記載の方法。
【請求項１１】
前記画像の前記モーション変更は、前記画像に対する観察者の位置及び前記画像の位置のうち、少なくとも一つの変更に関連することを特徴とする請求項１０に記載の方法。
【請求項１２】
前記保存することのステップは、前記画像の再生次元を示す再生シーケンスで、前記取得画像を保存することを特徴とする請求項８に記載の方法。
【請求項１３】
放送信号を送信する装置であって、
画像に対する画像修正制御情報を生成するように構成された画像再生制御情報生成部と、
前記画像と前記生成した画像修正制御情報とを放送データに変換するように構成された放送信号変換部と、
放送データを送信するように構成された送信部と、
を含んで構成されることを特徴とする装置。
【請求項１４】
前記画像を保存し、該保存した画像を前記放送信号変換部に提供するように構成された画像保存部をさらに含んで構成されることを特徴とする請求項１３に記載の装置。
【請求項１５】
前記画像修正制御情報は、前記画像に対する場面変更制御情報及び画像間の間隔を変更する間隔変更情報の少なくとも一方を含むことを特徴とする請求項１３に記載の装置。
【請求項１６】
前記画像再生制御情報生成部は、前記画像に対する前記場面変更制御情報を生成し、該場面変更制御情報は、前記画像の形態、カラー、輝度、不透明度、モーション及び次元のうち、少なくとも一つの変更に関連することを特徴とする請求項１５に記載の装置。
【請求項１７】
前記放送信号変換部は、ＭＯＴプロトコルの形態で前記放送データをパケット化することを特徴とする請求項１３に記載の装置。
【請求項１８】
前記放送信号変換部は、可変長の少なくても一つのフィールド値として前記画像修正制御情報を送信することを特徴とする請求項１３に記載の装置。
【請求項１９】
放送信号を再生する装置であって、
画像と該画像に対する画像修正制御情報とを含む受信した放送データをデコードするように構成されたデコーダーと、
前記デコーダーから取得した前記デコードされた前記画像及び前記画像修正制御情報を保存するように構成されたメモリー部と、
前記画像修正制御情報に基づいて、前記保存された画像を変更するように構成された制御部と、
前記変更された画像を出力するように構成された表示部と、
を含んで構成されることを特徴とする装置。
【請求項２０】
前記画像修正制御情報は、前記画像に対する場面変更制御情報及び画像間の間隔を変更する間隔変更情報の少なくとも一方を含むことを特徴とする請求項１９に記載の装置。
【請求項２１】
前記場面変更制御情報は、前記画像の形態、カラー、輝度、不透明度、モーション及び次元のうち、少なくとも一つの変更に関連することを特徴とする請求項２０に記載の装置。
【請求項２２】
前記制御部は、前記画像に対する前記場面変更制御情報に対応する画像転移効果テーブルを作動させることを特徴とする請求項２０に記載の装置。
【請求項２３】
前記制御部は、前記受信した放送データを用いて前記画像転移効果テーブルをアップデートすることを特徴とする請求項２０に記載の装置。
【請求項２４】
前記メモリー部は、前記画像の再生次元を示す再生シーケンスで、前記画像を保存することを特徴とする請求項１９に記載の装置。
【請求項２５】
前記表示部の傍に提供されたスイッチングパネル部をさらに含んで構成されることを含むことを特徴とする請求項１９に記載の装置。
【請求項２６】
前記スイッチングパネルは、前記変更された画像が２次元画像である場合にはターンオフされ、前記変更された画像が３次元画像である場合には入射角を分散するようにターンオンされることを特徴とする請求項２５に記載の装置。
【請求項２７】
送信装置を使用して放送信号を送信する方法であって、
前記送信装置によって、放送オブジェクトと該放送オブジェクトに対する場面変更制御情報とを生成すること、
前記送信装置によって、前記放送オブジェクトと前記場面変更制御情報とを放送データとして送信すること、
を含んで構成されることを特徴とする方法。
【請求項２８】
受信装置を使用して放送信号を再生する方法であって、
前記受信装置によって、放送オブジェクトと該放送オブジェクトに対する再生場面変更制御情報とを含む放送データを受信すること、
前記受信装置によって、前記受信した放送データから前記放送オブジェクトと前記場面変更制御情報とを取得すること、
前記受信装置によって、前記放送オブジェクトに対する前記場面変更制御情報に基づいて前記放送オブジェクトを修正すること、
前記受信装置によって、前記修正した放送オブジェクトを出力すること、
を含んで構成されることを特徴とする方法。
【請求項２９】
前記出力することのステップは、前記修正した放送オブジェクトを２次元表示モードまたは３次元表示モードで表示することを含むことを特徴とする請求項２８に記載の方法。
【請求項３０】
少なくとも一つのコンピュータ読み取り可能媒体に表された、放送オブジェクトを送信するデータ構造であって、
前記放送オブジェクトに関連したヘッダー情報を保存する第１フィールドと、
前記放送オブジェクトに対する画像修正制御情報を保存する少なくとも一つの第２フィールドと、
を含んで構成され、
前記画像修正制御情報は、前記放送オブジェクトに対する場面変更制御情報及び放送オブジェクト間の間隔を変更する間隔変更情報の少なくとも一方を含むことを特徴とするデータ構造。
【請求項３１】
前記放送オブジェクトを保存する第３のフィールドをさらに含んで構成されることを特徴とする請求項３０に記載のデータ構造。
【発明の詳細な説明】
【技術分野】
【０００１】
本出願は、２００６年４月２１日に出願された大韓民国特許出願番号第１０−２００６−００３６３４７号の優先権を主張し、その全体が参照文献として本出願に統合される。
【０００２】
本発明は、放送信号を送信するための装置及び方法、放送信号を再生するための装置及び方法、及び放送信号データ構造に関する。
【背景技術】
【０００３】
一般的に、アナログ放送が、デジタル信号を送信するデジタル放送に置き換えられてきている。デジタル放送は、付加的な画像情報やテキストなど、及び純粋放送用画像を送信することができる。
【０００４】
しかし、依然として、デジタル放送システムまたはデジタル通信システムにおける送信帯域幅には、制限があるので、送信オブジェクトのサイズも制限を受けている。
【０００５】
従来技術による放送システムにおいて、放送送信端が所定時間間隔で一連の画像を送信する場合、放送受信端は、送信タイミングポイントから遅延させたタイミングポイントから、同一時間間隔及び同一送信シーケンスで、画像を再生することができる。
【０００６】
しかし、狭帯域幅の放送または通信システムにおいて、広帯域幅を消費する送信オブジェクトを再生する場合、再生されるオブジェクトの再生速度は、オブジェクトの送信速度と同一ではない。その結果、再生されるオブジェクトのダイナミズムが減少する。
【０００７】
さらに、放送送信端から送信されたオブジェクトを放送受信端が再生する場合、放送受信端は、オブジェクト再生の際に、放送送信端から送信されたオブジェクトの送信速度またはシーケンスに支配されている。従って、ここでは、放送受信端における効率的な表示のために、送信可能なコンテンツのタイプ及び構成が制限される。
【０００８】
例えば、放送送信端は、視聴者の関心を受信機に引きつけるために様々な画像構成を有する３次元画像または放送信号を送信する。しかし、従来技術では、このような処理は、全てのコンテンツに対して同一方式が実行される。また、様々な画像構成及び効果を有する３次元画像及び放送信号を生成するのは、放送送信端である。このように、放送送信端は、これら画像を生成して送信するために過負荷が集中する。また、これら画像は送信の際に広帯域幅を必要とするので、送信端では帯域幅問題が存在する。
【０００９】
また、放送受信端は、従来の放送受信装置及び受信方法では、放送送信端から送信されたオブジェクトを受信し、該オブジェクトを再生する場合に、ある問題を抱えている。例えば、放送信号の送信速度が遅いかまたは帯域幅が制限される場合、放送受信端は、オブジェクト、例えば、３次元画像または特定効果を有する画像を、正確に受信、再生及び表示することが不可能になる。
【発明の開示】
【発明が解決しようとする課題】
【００１０】
従って、本発明は、上述した従来技術の制限や不都合に起因する一以上の問題を解決するためになされたもので、放送信号を送信するための装置及び方法、放送信号を再生するための装置及び方法、及び放送信号データ構造を提供することを目的とする。
【００１１】
本発明の目的は、放送信号送信側及び放送信号受信側の双方に便宜を提供することが可能な、放送信号を送信するための装置及び方法、放送信号を再生するための装置及び方法、及び放送信号データ構造を提供することにある。
【００１２】
本発明の他の目的は、送信された放送信号のタイプを多様に変更させることができる、放送信号を送信する方法及び放送信号を再生する方法を提供することにある。
【００１３】
また、本発明の他の目的は、送信画像を再生するためにダイナミックに変更させることができる、放送信号の生成及び送信するための装置及び方法、放送信号を受信及び再生するための装置及び方法を提供することにある。
【００１４】
さらに、本発明の他の目的は、送信された放送信号を、３次元、及び、特殊効果若しくは特殊構成の少なくとも１つで再生することができる、放送信号を送信するための装置及び方法、放送信号を再生するための装置及び方法、及び放送信号データ構造を提供することにある。
【００１５】
本発明による追加の利点、目的及び特徴は、後述する詳細な説明に部分的に記載され、及び、当業者であれば、以下のテストから又は本発明の実施から学び取ることで明らかになるであろう。本発明の目的及び他の利点は、特に、発明の詳細な説明、特許請求の範囲及び図面に示した構造などによって、理解され及び達成される。
【課題を解決するための手段】
【００１６】
このような目的を達成するために、本発明の一様態による放送信号を送信する方法は、画像を用意するステップと、画像に対する場面変更制御情報を生成するステップと、用意した画像と該画像に対する場面変更制御情報とを放送データに変換するステップと、放送データを送信するステップと、を含む。
【００１７】
本発明の他の様態によれば、画像と画像に対する場面変更制御情報を含む放送データを受信する放送受信機において、本発明の他の様態に従う放送信号を再生する方法は、放送データを受信するステップと、受信した放送データをデコードするステップと、画像と画像に対する場面変更制御情報とをデコードした放送データから取得するステップと、取得した画像及び該画像に対する場面変更制御情報を保存するステップと、取得した場面変更制御情報に基づいて保存した画像の表示を変更するステップと、を含む。
【００１８】
また、本発明の他の様態によれば、本発明の他の態様に従う放送信号を送信する装置は、少なくとも１つの画像を保存する画像保存部と、保存した画像に対する場面変更制御情報を生成する画像再生制御情報生成部と、保存した画像と生成した場面変更制御情報とを放送データに変換する放送信号変換部と、放送データを送信する送信部と、を含む。
【００１９】
さらに、本発明の他の様態によれば、本発明の他の態様に従う放送信号を受信する装置は、画像と該画像に対する場面変更制御情報とを含む放送データをデコードするために受信する通信部と、デコードされた画像及び該画像に対する場面変更制御情報を保存するメモリー部と、場面変更制御情報に基づいて、保存された画像を変更する制御部と、変更された画像を出力する表示部と、を含む。
【００２０】
さらにまた、本発明の他の様態によれば、本発明の他の態様に従う放送信号を送信する方法は、放送オブジェクトと該放送オブジェクトに対する再生場面変更制御情報とを生成するステップと、放送オブジェクトと該放送オブジェクトに対する再生場面変更制御情報とを放送データに変換するステップと、放送データを送信するステップと、を含む。
【００２１】
さらにまた、本発明の他の様態によれば、本発明の他の態様に従う放送信号を再生する方法は、放送オブジェクトと該放送オブジェクトに対する再生場面変更制御情報とを含む放送データを受信するステップと、受信した放送データをデコードして放送オブジェクトに対する再生場面変更制御情報を取得するステップと、取得した再生場面変更制御情報に基づいて、放送オブジェクトの表示を変更するステップと、を含む。
【００２２】
さらにまた、本発明の他の様態によれば、画像を含む放送信号のデータ構造は、コンピュータ読み取り可能媒体に表され、画像に対する場面変更制御情報を含む画像スイッチングフィールドを含む。
【００２３】
さらにまた、本発明の他の様態によれば、放送信号を送信する方法であって、少なくとも１つの画像のための画像修正制御情報を生成するステップと、画像及び画像修正制御情報を放送データとして送信するステップと、を含む方法が提供される。
【００２４】
さらにまた、本発明の他の様態によれば、画像と該画像に対する画像修正制御情報とを含む放送データを受信するように構成された放送受信機で放送信号を再生する方法であって、画像と画像修正制御情報とを含む放送データを受信すること、受信した放送データをデコードすること、デコードした放送データから、画像と該画像に対する前記画像修正制御情報とを取得すること、取得した画像と該画像に対する取得した画像修正制御情報とを保存すること、取得した画像修正制御情報に基づいて保存した画像の表示を修正すること、を含んで構成されることを特徴とする方法が提供される。
【００２５】
さらにまた、本発明の他の様態によれば、放送信号を送信する装置であって、画像に対する画像修正制御情報を生成するように構成された画像再生制御情報生成部と、画像と生成した画像修正制御情報とを放送データに変換するように構成された放送信号変換部と、放送データを送信するように構成された送信部と、を含んで構成されることを特徴とする装置が提供される。
【００２６】
さらにまた、本発明の他の様態によれば、放送信号を再生する装置であって、画像と該画像に対する画像修正制御情報とを含む受信した放送データをデコードするように構成されたデコーダーと、デコーダーから取得した画像及び画像修正制御情報を保存するように構成されたメモリー部と、画像修正制御情報に基づいて、保存された画像を変更するように構成された制御部と、変更された画像を出力するように構成された表示部と、を含んで構成されることを特徴とする装置が提供される。
【００２７】
さらにまた、本発明の他の様態によれば、送信装置を使用して放送信号を送信する方法であって、送信装置が、放送オブジェクトと該放送オブジェクトに対する場面変更制御情報とを生成すること、送信装置が、前記放送オブジェクトと前記場面変更制御情報とを放送データとして送信すること、を含んで構成されることを特徴とする方法が提供される。
【００２８】
さらにまた、本発明の他の様態によれば、受信装置を使用して放送信号を再生する方法であって、受信装置が、放送オブジェクトと該放送オブジェクトに対する再生場面変更制御情報とを含む放送データを受信すること、受信装置が、受信した放送データから放送オブジェクトと場面変更制御情報とを取得すること、受信装置が、前記放送オブジェクトに対する場面変更制御情報に基づいて放送オブジェクトを修正すること、受信装置が、修正した放送オブジェクトを出力すること、を含んで構成されることを特徴とする方法が提供される。
【００２９】
さらにまた、本発明の他の様態によれば、少なくとも１つのコンピュータ読み取り可能媒体に表された、放送オブジェクトを送信するデータ構造であって、放送オブジェクトに関連したヘッダー情報を保存する第１フィールドと、放送オブジェクトに対する画像修正制御情報を保存する少なくとも１つの第２フィールドと、を含んで構成され、画像修正制御情報は、放送オブジェクトに対する場面変更制御情報、及び、放送オブジェクト間の間隔を変更する間隔変更情報の少なくとも一方を含むことを特徴とするデータ構造が提供される。
【００３０】
本発明に係る前述した課題を解決するための手段及び後述する実施形態の記載は、例示及び説明のためのものであり、本発明が主張するさらなる説明を提供することを意図していることを理解すべきである。
【発明を実施するための最良の形態】
【００３１】
本発明の一実施例を示す添付図面は、本発明の一層の理解を提供するために含まれており、本発明の一部を構成し、及び発明の開示と共に、本発明の原理を説明するために用いられる。
【００３２】
以下、本発明の好ましい一実施例を、より詳細に説明するために、これを添付図面に示す。同一図面における符号は、全図にわたって同様に用いられ、また、類似要素を示すために使用される。
【００３３】
図１は、本発明の一実施形態に従う放送信号のデータ構造のブロック図である。
【００３４】
図１を参照すれば、放送信号を送信する場合、放送オブジェクトを再生する再生情報を放送信号に挿入することができる。本発明において、放送信号に含まれる放送オブジェクトの例としては、画像情報または画像、テキスト情報またはテキスト、オーディオ情報、広告、グラフィック、アイコンなどを含むが、これに限定されるものではない。本明細書の説明において、放送信号に含まれる放送オブジェクトが再生される場合、放送オブジェクトの再生方式が定義される。また、放送信号からパーシング（parsing）可能な情報であって、放送オブジェクトの再生を制御するための情報が、再生制御情報と見なされる。例えば、放送オブジェクトが画像である場合、再生制御情報は、画像再生制御情報として見なされる。再生制御情報は、画像（または放送オブジェクト）修正制御情報、シリアル番号情報、画像相関情報などを含むことができる。また、ヘッダー情報を再生制御情報に含めさせることができる。画像対する画像（または放送オブジェクト）修正情報、及び、間隔変更情報の少なくとも一方は、画像間の間隔を変更する。好ましくは、修正制御情報は、フォーム、カラー、輝度、不透明度、動き（モーション）及び画像次元の少なくとも１つを変更すること関連する。
【００３５】
放送オブジェクトを受信機側に送信する場合、放送信号送信装置は、放送オブジェクトと共に、放送オブジェクトに対する再生制御情報を送信することができる。
【００３６】
これによって、放送信号送信装置は、送信前に放送オブジェクトを様々に変更することが不要となる。また、放送信号送信装置は、放送信号受信装置が受信した再生制御情報を参照して受信した放送オブジェクトを様々に再生できるようにすることを可能にする。
【００３７】
一方、放送オブジェクト及び再生制御情報（例えば、放送オブジェクトと関連した）を含む受信放送信号をデコードする場合、放送信号受信装置は、再生制御情報に含まれる修正制御情報または間隔変更情報から取得した再生方式に従って、放送オブジェクトを、受信画像の形態に変換又は他の形態に変更して再生することができる。
【００３８】
図１は、本発明の一実施形態に従う送信側の送信機によって生成及び送信されることができる放送信号のデータ構造の一例を示す。このような放送信号は、受信側の受信機によって受信されることができる。本例において、放送オブジェクトは画像であるが、この構造は、放送オブジェクトの他の用例にも同様に適用可能である。
【００３９】
図１を参照する。図１は、送信側から送信される放送信号である。複数のフィールド１１〜１４は、画像再生制御情報を含み、データフィールド１５は、例えば、画像データなどの再生される放送オブジェクト（プログラムのような放送される実際コンテンツ）を含む。これらフィールドの順序は、可変可能である。
【００４０】
ヘッダーフィールド１１は、データフィールド１５に含まれるデータと関連したヘッダー情報を含む。画像転移フィールド（または画像修正フィールド）１２は、データフィールド１５に含まれる画像データを用いて表示する画像の場面変更制御情報を含む。画像の場面変更制御情報は、データフィールド１５に含まれる画像データを用いて表示される、例えば、形態、カラー、輝度、不透明度、モーション、次元などの画像の特徴または場面を変更するための制御情報である。
【００４１】
シリアル番号フィールド１３は、送信される画像を含む画像グループに属する画像のシリアル番号、又は、少なくとも１つ以上の画像グループのうちの１つのシリアル番号を示す。
【００４２】
また、画像相関フィールド１４は、送信された画像間の構造を、構造ごとに識別可能な相関情報を含む。
【００４３】
図２は、本発明の一実施形態による放送信号のデータ構造内における画像再生制御情報フィールドの一例を示した図である。図２に示した領域a−dは、図１のフィールド１２、１３に対応する。例えば、領域a及び領域c内の少なくとも一方の情報は、図１の画像転移フィールド１２に含まれた情報（画像修正制御情報）の一例であり、領域b及び領域dに含まれた情報は、図１のシリアル番号フィールド１３に含まれた情報の一例である。これら領域の順序は、可変可能である。
【００４４】
図２を参照する。画像転移効果領域aは、画像場面変更制御情報を含む。例えば、画像転移領域aは、’画像転移効果テーブル’に基づいて伝送された画像の形態、カラー、輝度、不透明度、モーション、次元などを変更するための情報を提供する。領域aに含まれた情報を考慮して’画像転移効果テーブル’を参照すれば、受信装置は、表示される画像の特徴または場面をどのように修正するかを知ることができる。この’画像転移効果テーブル’は、例えば、移動端末または通信端末などの放送信号受信装置で保存されることができる。
【００４５】
本発明による放送信号データ構造は、画像データフィールドを備える場合に、１つのグループにおける画像のカウント（総数）を示す情報を含むフィールド（例えば、ヘッダーフィールド１１）、各グループ内のシリアル番号を示す情報を保存する領域b、グループ間の再生間隔を示す情報を保存する領域c、及び各グループのシリアル番号を示す情報を保存する領域dをさらに含むことができる。
【００４６】
本発明によるデータ構造は、放送信号を送信するように構成された放送システム、又は、通信システムに有用である。本発明によるデータ構造は、例えば、内部記憶装置、メモリースティックなどの少なくとも１つのコンピュータ読み取り可能媒体又はディスク上に具体化することができる。放送または通信システムは、画像を送信可能な多様なプロトコルを用いる。また、プロトコルの１つのリザーブ領域内に、図１及び図２の少なくとも一方に示したようなデータフィールドを用意することができる。さらに、本発明のデータ構造を利用して放送信号用の再生制御情報を送信することができる。
【００４７】
以下、本発明の一実施形態による放送信号伝送方法及び放送信号再生方法を、一例として、ＭＯＴ（multimedia object transfer）に関連して詳述する。
【００４８】
図３は、本発明による各種放送及び通信転送プロトコルうち、ＭＯＴプロトコルの一例を示した図である。
【００４９】
図３を参照する。テーブル１及びテーブル２は、各種放送及び通信転送プロトコルのうちのＭＯＴプロトコルを示す。
【００５０】
以下、本発明の一実施形態に従うＭＯＴプロトコルを用いた再生制御情報の送信について説明する。しかし、再生制御情報や画像転移フィールド１２に含まれる情報は、他のプロトコルを利用して送信することもできる。
【００５１】
まず、テーブル２は、ＥＮ  ３０１  ２３４  Ｖ２．１．１によるＤＡＢ（multimedia audio broadcasting）ＭＯＴプロトコルのデータフィールドを示す。また、本発明によるデータ構造（例えば、図１のフィールド１１〜１４）は、ＭＯＴプロトコルのリザーブ領域に定義及び提供されることができる。
【００５２】
本発明による放送信号送信及び再生方法の拡張性のために、データ構造は、ＭＯＴプロトコルのリザーブ領域における可変長を備えるデータフィールドで定義されるとよい。
【００５３】
例えば、テーブル２では、本発明によるデータ構造（例えば、図１のフィールド１１〜１４）が、可変長のコンテンツネームフィールド２０に挿入可能であることを理解することができる。また、テーブル１は、コンテンツネームが特徴のある指示子として、アラビア数字のデータで記入されることができることを示す。
【００５４】
そして、再生制御情報が、例えば、図２に示した領域a及びcの少なくとも一方に含まれる値をテーブル２に示したコンテンツネームフィールド２０に挿入されて送信されると、受信装置は、受信した再生制御情報に従って放送オブジェクト（例えば、画像）を再生することができる。
【００５５】
上述したように、本発明のデータ構造は、ＭＯＴプロトコルと同様に、他の放送または通信転送プロトコルを利用して送信側から受信側に送信されることができる。
【００５６】
図４は、本発明の一実施形態による放送信号を送信するための装置のブロック図である。
【００５７】
図４を参照する。本発明の一実施形態による放送信号を送信するための装置は、画像保存部（または放送オブジェクト保存部）１１０と、画像再生制御情報生成部（または放送オブジェクト再生制御情報生成部）１２０と、放送信号変換部１３０と、送信部１４０と、を含む。この装置は、公知技術の他の構成要素を含むこともできる。この装置の全ての構成要素は、動作可能なように接続及び構成されている。
【００５８】
図４を参照して、本発明の一実施形態による放送信号送信装置の動作を以下に説明する。
【００５９】
まず、画像再生制御情報生成部１２０は、再生原則／動作の情報を生成する。これにより、送信された画像は、放送信号受信装置によって適切に再生される。また、画像再生制御情報生成部１２０は、再生制御情報（例えば、図１のフィールド１１〜１４）に保存される情報、または図１に示した情報）を生成する。この情報は、本発明に従って表示される画像に対する場面変更制御情報及び間隔変更情報の少なくとも一方を含む。受信端は、このような情報及び画像データを受信し、場面変更制御情報または間隔変更情報に基づいて画像を変更し、及び、変更した画像を表示する。
【００６０】
画像保存部１１０は、送信する画像放送オブジェクトを保存する。例えば、画像保存部１１０は、外部で生成された画像（画像データ）を受信し、この受信画像を保存し、そして保存画像を放送信号変換部１３０に出力する。また、画像保存部１１０は、送信する画像を生成することができ、この生成した画像を一時的に保存し、そして、一時的に保存した画像を放送信号変換部１３０に出力することもできる。
【００６１】
放送信号変換部１３０は、画像保存部１１０から出力された画像データと、画像再生制御情報生成部１２０から出力された画像再生制御情報と、を放送データに変換する。例えば、放送信号変換部１３０は、画像保存部１１０及び画像再生制御情報生成部１２０から出力されたデータを、図１及び図２に示したデータ構造に設定する。放送信号変換部１３０は、放送信号の送信原則に従って生成した放送データをパケット化し、このパケット化したデータを出力する。
【００６２】
送信部１４０は、放送信号変換部１３０により生成された放送データを放送ネットワークを通じて送信する。
【００６３】
このため、本発明による放送信号送信装置は、送信する画像の変換または修正が不要となる。例えば、従来技術では、放送信号送信装置は、所望効果のために、画像の場面または特徴を変換し、その後、変換画像を送信し、受信装置では、受信した変換画像を単に表示するだけであった。しかし、本発明の放送信号送信装置は、画像データと共に画像再生制御情報をも送信し、放送信号受信装置では、画像に関連する再生制御情報を利用して、修正された画像を動的に修正及び再生することができる。この結果、従来技術に関係する帯域幅制限及び他の不利益が、本発明により解決される。
【００６４】
図５Ａは、本発明の一実施形態による放送信号を受信するための装置のブロック図である。この装置は、図示略した公知の他の構成要素を含むことができる。この装置の全ての構成要素は、動作可能なように接続及び構成されている。
【００６５】
図５Ａを参照する。本発明の一実施形態による放送信号を受信するための装置において、ＦＲ受信部２００は、放送信号（例えば、放送ネットワークを通じて送信部１４０から送信された放送信号）を受信し、この受信した放送信号を復調し、そして、この復調した放送信号を出力する。
【００６６】
放送信号デコード部２１０は、復調された放送信号を放送データにデコードし、このデコードした信号を放送オブジェクト及び放送オブジェクトに対する画像再生制御情報（例えば、場面変更制御情報、間隔変更情報など）に分離し、そして、放送オブジェクト及び画像再生制御情報を出力する。本例において、放送オブジェクトとは、放送信号によって運ばれた画像情報（テキスト情報を含むことができる）である。
【００６７】
メモリー部２２０は、放送信号デコード部２１０から出力された放送データを保存する。メモリー部２２０は、画像再生制御情報保存部（または放送オブジェクト再生制御情報保存部）２２１及び画像バッファ部（または放送オブジェクトバッファ部）２２２を含む。
【００６８】
画像再生制御情報保存部２２１は、放送オブジェクトに対する画像再生制御情報（例えば、画像修正制御情報）を保存する。画像再生制御情報は、放送信号デコード部２１０によってデコードされて出力される。本発明の実施形態によれば、画像に対する画像場面変更制御情報及び再生次元情報は、画像再生制御情報保存部２２１に保存されることができる。
【００６９】
画像バッファ部２２２は、放送信号デコード部２１０から出力された画像情報（放送オブジェクト）を保存する。また、画像バッファ部２２２は、各々の画像を保存することができる複数のバッファを含むことができる。
【００７０】
画像転移処理部（または放送オブジェクト転移処理部）２４０は、画像修正制御情報（例えば、場面変更制御情報または間隔変更情報）に基づいて、画像バッファ部２２２に保存された表示される画像（放送オブジェクト）の場面または特徴を変更する。例えば、表示される画像の形態、カラー、モーション、輝度、不透明度、次元及び他の特徴は、画像再生制御情報保存部２２１に保存された画像修正制御情報に基づいて修正される。
【００７１】
特に、画像転移処理部２４０は、画像転移効果テーブル（または放送オブジェクト転移効果テーブル）２４１を操作する。画像転移効果テーブル２４１は、ルックアップテーブルであり、画像が画像修正制御情報によってどのように修正されるかに関する特定情報を含む。現在の放送オブジェクト用の特定画像修正制御情報に対応する画像転移効果テーブル２４１に保存された情報は、画像を変換するために画像転移処理部２４０によって利用されることができる。また、画像転移効果テーブル２４１は、画像の場面変更制御情報（または間隔変更情報）に対応するアプリケーションソフトウェアであってもい。さらに、画像転移効果テーブル２４１は、受信放送データによって頻繁にアップデートされることができる。
【００７２】
一旦、画像転移処理部２４０が、対応する画像修正制御情報に基づいて画像転移効果テーブル２４１を利用して画像を修正する場合、画像転移処理部２４０は、修正した画像を表示部２８０及びスイッチングパネル部２８１の少なくとも一方に出力する。
【００７３】
制御部２３０は、放送信号受信装置の各構成要素を制御する信号をそれぞれ生成する。他の例として、画像転移処理部２４０及び制御部２３０を、１つの構成要素に統合することもできる。
【００７４】
表示部２８０は、画像転移処理部２４０から変換された画像を受信し、この受信した画像を表示する。特に、両眼視差（binocular disparity）を利用して３次元画像を表示する場合、放送信号受信装置は、例えば、好ましくは、３次元画像のために、表示部２８０の表面に提供されるスイッチングパネル部２８１を含むことができる。この場合、スイッチングパネル部２８１は、再生される画像が２次元再生モードであると動作しない。再生される画像が３次元再生モードであると、スイッチングパネル部２８１は、画像に対してキュービック（立体）効果を構成するように動作される。
【００７５】
なお、図５Ａの装置は、前述の表示部に制限されるものではなく、ＬＣＤ、プロジェクター、ＰＤＰなどの表示部を含むＴＶであってもよい。
【００７６】
図５Ｂは、本発明による３次元画像を表示するためのスイッチングパネル部２８１の駆動原理を説明する図である。
【００７７】
図５Ｂを参照する。スイッチングパネル部２８１は、自動立体バリア（auto-stereoscopic barrier）であり、表示部２８０の前面に配置される。
【００７８】
左右一対の画像Ｌ及びＲのステレオ（stereo）を複数含む画像は、複数の垂直ストリップに分割される。特に、左側画像及び右側画像のストリップは、画素ｉに各々相互に配列される。
【００７９】
スイッチングパネル部２８１において、複数のスロットが、バリア間隔bで相互に離隔されて形成されている。特に、複数のスロットは、観察者の左目が左側画像のストリップを、右目が右側画像のストリップを見るように配列される。これによって、観察者または視聴者が、全体画像を３次元画像に再構成し、３次元画像を認識することができる。
【００８０】
客体観察時における右目と左目との間の視覚的差異（visual difference）を意味する両眼視差は、画像を３次元で見ることができるようにする。右目で見える画像と左目で見える画像とが同時に合成されると、立体（３次元）画像が提供されることができる。このため、１つの画像に対して右目画像と左目画像とを用意し、これら２つの画像を画素単位ごとに合成することによって、観察者が立体画像を見ることが可能となる。
【００８１】
また、２画像を合成する場合、スイッチングパネル部２８１は、右目の視覚が右側画像を示す画素に対応し、左目の視覚が左側画像を示す画素に対応するように、画像表示部２８０の表面に提供される。
【００８２】
また、スイッチングパネル部２８１は、受信放送データから取得した画像に対する場面変更制御情報が立体構成のための次元情報である場合、視覚が合成画像を捉えることができるように駆動される。
【００８３】
さらに、スイッチングパネル部２８１は、受信放送データか取得した画像に対する場面変更制御情報が２次元の次元情報である場合には、駆動されない。この結果、スイッチングパネル部２８１は、通常の２次元画像を表示部２８０がそのまま再生することを可能にする。
【００８４】
図６は、本発明の一実施形態による場面変更制御情報に基づいて参照されることができる画像転移効果テーブルの一例である。このテーブルは、図５Ａの画像転移効果テーブル２４１の一例である。
【００８５】
図６を参照する。放送データから取得した画像に対する場面変更制御情報などの画像修正制御情報は、送信画像または送信放送オブジェクトの形態、カラー、輝度、不透明度、モーション、次元などを変更する制御情報として提供される。また、放送信号受信装置は、対応する画像の転移効果テーブルを操作して、場面変更を実行する。
【００８６】
例えば、放送信号受信装置によって受信された場面変更制御情報が、（図２の領域aまたは図１のフィールド１２に保存されることができる）十進数”１０”を有する場合、画像転移処理部２４０は、画像転移効果テーブル２４１（例えば、図６のテーブル）をルックアップし、対応する放送オブジェクトに対して”スパイラルアウト（spiral-out）”効果を適用する必要があることを意味すると認識して、”スパイラルアウト”効果を実行するために放送オブジェクトを修正する。
【００８７】
他の例では、画像に対する受信した画像修正制御情報が、画像のモーションを修正することに関連する場合、放送信号受信装置は、伝送画像に対して、（カメラの動きのように）観察者の視線位置を変化させることにより、画像の場面を変更するか、または、画像の位置を全方向（上下左右）に移動させるように、場面、場面を変更する。例えば、画像のモーションは、画像の観察者の位置及び表示される画像の位置の少なくとも一方を変更することにより修正されることができる。
【００８８】
他の例では、受信した画像修正制御情報が間隔変更情報である場合、受信装置は、間隔変更情報に従って、隣接する画像間の間隔を変更することができる。そして、これは、表示されている画像の特性を変化させることができ、特殊効果として視聴されることができる。
【００８９】
場面転移は、１つの場面を他の場面に変更する状態を示す。また、場面転移スキームは、場面切り替え時の形態、カラー、モーション、サウンドなどを含むエレメントを変化することにより、平滑な場面対場面の連結、又は非常に強調された表現を示す。また、このような転移は、受信した画像再生／修正制御情報に基づいて、画像転移処理部２４０によっても実施することができる。
【００９０】
好ましくは、本発明による画像転移効果テーブル２４１は、放送データの一部として受信した画像再生制御情報に基づいて相互利用が可能である。単なる一例であるが、画像の場面変更制御情報は、放送信号受信装置によって受信された放送信号画像の場面変更を実行するコンピュータソフトウェアであってもよい。
【００９１】
本発明の一実施形態による放送信号受信装置における画像の場面変更を処理する方法は、複数の場面から意味のある詳細場面を選択し、放送信号送信端（例えば、放送局）の意図（intention）及び状況コンテクスト（situation context）を維持するために適切であり、最も効率的に一連のイベントを伝達するステップと、特定シーケンスで画像を配列するステップと、を含む。この場合、放送信号によって運ばれる画像は、撮影やコンピュータグラフィックから調達されることができる。
【００９２】
従来の放送信号再生方法では、受信機は、予め処理及び変換された画像としての放送信号を受信し、（すなわち、画像場面転移及び特殊効果を処理する側が用いられて既に変換されたビデオデータは、受信側で受信機により受信され）、その後、受信信号を現状のまま再生する。このような従来方法は、多くの異なる様態において、明確に、本発明に従う放送信号再生方法から区別される。
【００９３】
例えば、本発明は、放送信号（または画像）再生方法を提供するが、この方法では、画像のあらゆる場面変更または他の修正（または画像間の間隔）の後処理が、放送データとして画像データと共に受信した画像に対する再生制御情報に従って、受信側で実行される。例えば、受信側が画像再生制御情報に基づいて１つの画像を次の画像に変更する場面転移において、時間及び空間シフトが示され、画像は、１つ以上のスタイル、トーン、リズムなど、画像連結の流れに従って変更することにより再生される。
【００９４】
本発明による画像（または他の放送オブジェクト）の場面変更制御情報は、フェードイン、フェードアウト、ディゾルブ、ワイプ（wipe）、スパイラルイン、スパイラルアウトなどの転移効果をもたらすことができる。画像の場面転移が要求される場合、画像形態、画像カラー、画像輝度、画像不透明度、観察者位置、画像位置、画像次元及び画像に関連するその他などの中から１つ以上を変化させる。
【００９５】
図７Ａは、本発明の一実施形態による画像場面変更制御情報を用いて実行されたディゾルブ転移効果の一例を示した例示図である。
【００９６】
図７Ａを参照する。放送信号受信装置が、受信した画像に対する場面変更制御情報が画像転移効果テーブルに基づくディゾルブアクションタイプに対応すると決定する場合、受信装置端の画像処理部（例えば、画像転移処理部２４０）は、以前の画像に後の画像を混合することによって、ゆっくりと次の画像へと画像を切り替える画像処理を実行する。場面転移技術としてのディゾルブは、画像コンテンツの継続性及び関連性を接続する。特に、コンテンツの主観的関係または構造的関係が表現される。主観的関係とは、人々で混み合っている通りの場面を、牛たちが押し合う場面にディゾルブする場合などを示す。また、構造的関係とは、例えば、野球のボールを外野手がジャンピングキャッチする場面を、飛んでいるダンサーの場面にディゾルブする場合などを示す。
【００９７】
一般的に、相互に一時的にオーバーラップされる２つの画像ショット間での緩やかな場面転移技術が、ディゾルブ（dissolve）と呼ばれている。特に、ディゾルブは、過去のイベントと後続のイベントとの間の関係を表示する場合に使用されることができる。例えば、家で遊ぶ子供の場面は、成人期に対して影響を及ぼす幼年期の行為を講義する教授の場面に短くディゾルブされる。また、ディゾルブは、イベントのリズムを示したり、強調したりする。
【００９８】
図７Ａに示した例示図は、類似コンテンツまたは類似タイプを有する場面間のディゾルブ技術を示すマッチディゾルブ（match dissolve）を示す。’（a-1）→（a-3）’の画像場面シーケンスは、森にある松を居間に飾られた松にディゾルブする方式において、画像の時間及び空間通路（space passage）を示す。
【００９９】
さらに、本発明において用いることが可能な’シマーディゾルブ（shimmer dissolve）’、ディゾルブラップス（lapse）などの場面変更制御情報の他のタイプが存在する。’シマーディゾルブ’において、画像は、過去の回想シーンを示す波（wave）のよう現れる。また、’ディゾルブラップス’は、同一の場所で発生するアクションをディゾルブして建物建築プロセスまたは季節変更を示す一連のアクションの連続性を示す。’ディゾルブラップス’は、建物の施工手順や季節の移り変わりなどを示す一連のアクションの連続性を示すために、同一の場所で発生するアクションをディゾルブする。
【０１００】
図７Ｂは、本発明による画像変更制御情報を用いて実行されたフェードイン／フェードアウト転移効果の一例を示した例示図である。
【０１０１】
図７Ｂを参照する。放送信号受信装置が、受信した画像に対する場面変更制御情報が画像転移効果テーブルに基づくフェードアクションタイプに対応すると決定する場合、受信装置の画像処理部は、受信した画像をますます暗くするか［（b-1）→（b-3）］または徐々に明るくする［（b-3）］→（b-1）］。場面情報が’フェードアウト’であるか、又はこれに対応する場合、図７Ｂに示した例示図は、自動車の画像が［（b-1）→（b-3）］の順に変化させられてより暗くなることで、場面のエンディング機能を表現する。一方、場面変更情報が’フェードイン’であるか、又はこれに対応する場合、図７Ｂに示した例示図は、自動車の画像が［（b-3）］→（b-1）］の順に変化させられてより明るくなることで、場面のエンディング機能を表現する。
【０１０２】
図７Ｃは、本発明による画像場面変更制御情報を用いて実行された画像転移効果の一例を示す例示図である。
【０１０３】
図７Ｃを参照する。本発明の場面変更制御情報に対応する画像転移効果テーブル（例えば、テーブル２４１）を用いる２画像の場面転移方法において、場面転移は、第１画像(a)が最終画像(e)にオーバーラップされる間、第１画像(a)の次の第２画像(b)における不透明度の増加において第１画像(a)を段階的に透明にする不透明度の調整のために、場面変更制御情報に従って’(a)→(b)→(e)’の順序で処理される。
【０１０４】
本発明の一実施形態による場面変更制御情報に対応する画像転移効果テーブルを用いる２画像の場面転移方法において、第１画像(a)は、スムーズに画像の詳細部分を接続するために、場面変更制御情報によって、図７Ｃにおける’(a)→(c)→(e)’の順序で最終画像(e)に切り替えられる。ディゾルブアクションは、画像を合成するために２画像の効果を同時に実行する。ここで、’フェードアウト’以前の画像は、’フェードイン’の次の画像が現れると瞬時に消える。これは、２つの同一画像を合成するオーバーラップ方法とは区別される。オーバーラップ方法は、２画像が合成される時に、その２画像を固定できるように画像オーバーラップに専用であるが、ディゾルブ方法は、基本的に、フェードイン／フェードアウトに基づいて、２つの画像を１つの画像へ変更する。
【０１０５】
本発明の一実施形態による場面変更制御情報に対応する転移効果テーブルを用いる２画像の場面転移方法において、図７Ｃの’(a)→(d)→(e)’の順序は、場面転移が第１画像(a)から最終画像(e)に適用される場合に、画像のモーションを左から右へ又は右から左へと移動させるために、場面変更制御情報により処理される場面転移の一例に対応する。画像のモーション方向は、好ましくは、画像が移動するラインや進行パスであるとよい。画像の上昇や下降（上部→底下部、底部→上部）、または、画像の前進や後退は、眼球運動が以前に計画されたプロセスに沿って進行することを可能にする意図的な認知経路（perceptive path）を確立する。画像範囲内で作用する方向の力は、１点から他点へ視線を誘導させることができる。
【０１０６】
一実施形態によれば、ワイプ転移効果、特定転移効果などのその他の効果は、場面変更制御情報を用いて提供されることができる。例えば、受信装置は、受信した場面変更制御情報、画像間隔変更情報または画像修正制御情報の他のタイプに基づいて、保存された対応する画像転移効果テーブルを用いて画像転移を実行し、その後、画像を再生する。この場合、ワイプ転移効果は、時間経過を示すために、新しい画像が古い画像を一側から押しやる方式で実行されることができる。
【０１０７】
図８は、本発明の一実施形態による再生制御情報（例えば、画像場面変更制御情報または画像間隔変更情報）を含む放送信号を受信する装置で、放送信号を再生する方法を示すフローチャートである。この方法は、図５Ａの受信装置または図９の端末により実行されることができる。また、この方法では、放送オブジェクトが画像である場合を例として説明する。なお、この方法は、他のタイプの放送オブジェクトにも同様に適用可能である。
【０１０８】
図８を参照する。画像と、画像に対する再生制御情報と、を含む放送信号パケットが、例えば、図４の放送信号送信装置から放送ネットワークを通じて受信される（ステップＳ１００）。受信放送信号パケットは、図１または図２のデータ構造を有することができる。
【０１０９】
そして、画像及び画像再生制御情報が、受信した放送信号から抽出される（ステップＳ１０１）。抽出された画像再生制御情報は、図５Ａの受信装置の画像再生制御情報保存部２２０に保存されることができる。
【０１１０】
その後、受信画像の再生モードに従って２次元画像または３次元画像が保存される（ステップＳ１０２）。例えば、受信した放送信号から得られる画像データは、受信装置の画像バッファ部２２２に保存されることができる。
【０１１１】
画像再生制御情報から、画像修正制御情報（例えば、画像の場面変更制御情報及び画像に対する画像間隔変更情報の少なくとも一方）が検出される（ステップＳ１０３）。
【０１１２】
対応する画像の場面転移は、検出された画像修正制御情報に対応する画像転移効果テーブルを基づいて実行される（ステップＳ１０４）。例えば、場面変更制御情報が検出されると、画像転移処理部２４０は、場面変更制御情報を取得して、場面変更制御情報に基づき場面変更制御情報に対応する特定場面転移アクションまたは他のアクションを識別するために画像転移効果テーブル２４１をルックアップし、識別したアクションを実行して画像を変換する。
【０１１３】
最後に、変換された画像は、場面転移または所定アクションに従って表示される（ステップＳ１０５）。例えば、画像転移処理部２４０が、表示部２８０及びスイッチングパネル部２８１の少なくとも一方を制御して画像を所定効果で表示させる。
【０１１４】
図９は、本発明の一実施形態による画像再生装置または放送信号受信装置の一部または一例としての移動通信端末を示したブロック図である。なお、移動通信端末の全構成要素は、動作可能に連結され及び構成されている。
【０１１５】
図９を参照する。信号受信部３１０は、トランスポートストリーム（以下、ＴＳ）パケットの形態で、放送ネットワークを通じて送信された放送信号を受信する。ここで、ＴＳパケットは、図１または図２の放送信号データ構造を有することができる。
【０１１６】
信号変調部３２０は、受信ＴＳ信号のＴＳパケットを、端末システムが処理できるデータにデコードする。
【０１１７】
メモリー部３３０は、移動通信端末全体の各種動作ソフトウェアを保存し、再生制御情報ストレージ３３５及び画像バッファ部（または放送オブジェクトバッファ部）３３２を含む。
【０１１８】
特に、再生制御情報ストレージ３３５は、受信画像に対する場面変更制御情報及び画像間隔変更情報の少なくとも一方を受信した放送データから取得し、その後、取得した情報を保存する。対応する画像とマッチングする場面変更制御情報は、ページ制御信号によって読み取りされることができる。画像バッファ部３３２は、画像再生次元に従って、２Ｄ、３Ｄ、２Ｄグループ、３Ｄグループなどの画像形態で、放送データの画像を保存する。また、画像バッファ部３３２は、複数のバッファを含むことができる。
【０１１９】
制御部３５０は、放送信号を受信して再生するために、一連の信号処理を制御する。制御部３５０は、本発明によって受信した放送信号から画像に対する場面変更制御情報（または間隔変更情報）及び受信した画像（または放送オブジェクト）を取得することによって、場面転移処理または画像の他の効果を実行する。
【０１２０】
ユーザが、放送の視聴に関連するアプリケーションを動かしたり、チャンネル変更の機能を選択などすると、インターフェース部３６０は、対応するコマンドデータを生成する。また、インターフェース部３６０は、本発明の放送サービス機能をターンオン／ターンオフするか、または 放送信号再生信号などのチャンネル変更を入力する。
【０１２１】
データバス３７１は、メモリー部３３０と制御部３５０などを含む複数のデバイス間のデータ入出力パスであり、データの転送レートを決定する。
【０１２２】
各種音源がロードされるサウンドモジュール３７２は、マイクロホンを通じて入力されたオーディオ信号のトーン及びボリュームを調節する。
【０１２３】
オーディオ処理部３７３は、受信した放送データからオーディオ信号を処理し、この処理した信号をスピーカー３７５を通じて出力する。
【０１２４】
グラフィックモジュール３７９は、対応する画像の画素を２次元画像または３次元画像のスイッチングパネルに一致させる方式で、本発明に従う画像の場面転移を表示する。
【０１２５】
表示部３８０は、制御部３５０から放送信号再生制御信号を受信し、変更した画像の場面転移などを示す。この場合、再生された画像が３次元画像であると、表示部３８０は、スイッチングパネル部を駆動して立体画像を構成する。
【０１２６】
カメラモジュール３９２は、使用するために移動通信端末に連結された外部型カメラ及び移動通信端末の規定部分に提供された内蔵カメラの少なくとも一方を含む。
【０１２７】
また、内蔵形メモリーカードモジュールは、外部メモリー３９５の装着／取り外しを認識するために移動通信端末に提供される。外部メモリーの装着が認識された場合、データが外部メモリーから読み込まれる。
【０１２８】
図９に示した移動通信端末は、これに限定されるものではなく、移動電話、スマートフォン、ＰＤＡ、ＰＭＰ、ＤＭＢ端末などであってもよい。また、その他、公知の構成要素を含むことができる。
【０１２９】
以上は、当業者であれば、本発明の精神及び範囲から逸脱することなく、様々な修正や変更が可能であることは明らかである。従って、本発明は、添付の特許請求の範囲及びこれと均等なものの範囲内にある限り、本発明の改良又は修正をカバーするものである。
【図面の簡単な説明】
【０１３０】
【図１】本発明の一実施形態による放送信号のデータ構造を示したブロック図である。
【図２】本発明の一実施形態による図１のデータ構造における画像再生制御情報フィールドの例示図である。
【図３】本発明による各種放送及び通信転送プロトコルのうち、マルチメディアオブジェクト転送プロトコルの例示図である。
【図４】本発明の一実施形態による放送信号送信装置を示したブロック図である。
【図５Ａ】本発明の一実施形態による放送信号受信装置を示したブロック図である。
【図５Ｂ】本発明による３次元画像を表示するスイッチングパネルユニットの駆動原理を説明する図である。
【図６】本発明の一実施形態による画像場面変更制御情報に基づいた画像転移効果テーブル（ルックアップテーブル）を示した図である。
【図７Ａ】本発明の一実施形態による画像修正制御情報を用いることにより、表示可能な画像のディゾルブ（dissolve）転移効果を示した例示図である。
【図７Ｂ】本発明の他の実施形態による画像修正制御情報を用いることにより、表示可能な画像のフェードイン／フェードアウトの転移効果を示した例示図である。
【図７Ｃ】本発明の他の実施形態による画像修正制御情報を用いることにより、表示可能な画像の画像転移効果を示した例示図である。
【図８】本発明の一実施形態による画像修正制御情報を含む放送信号を受信するための装置で、放送信号を再生する方法を示すフローチャートである。
【図９】本発明の一実施形態による移動通信端末を示したブロック図である。
【図１】
2007295573.tif 000003
【図２】
2007295573.tif 000004
【図３】
2007295573.tif 000005
【図４】
2007295573.tif 000006
【図５Ａ】
2007295573.tif 000007
【図５Ｂ】
2007295573.tif 000008
【図６】
2007295573.tif 000009
【図７Ａ】
2007295573.tif 000010
【図８】
2007295573.tif 000011
【図９】
2007295573.tif 000012
【図７Ｂ】
2007295573.tif 000013
【図７Ｃ】
2007295573.tif 000014
【外国語明細書】
2007295573000001.pdf
2007295573000002.pdf
2007295573000003.pdf
2007295573000004.pdf